(57)【要約】【課題】従来、畝上に生えた雑草を除草する除草装置は、カルチ爪や耕耘爪により土壌表面を浅く耕耘する構成であったので、凹凸が有ると畝を崩したり空を切るという課題が有った。【解決手段】乗用管理機の後部に左右方向のツールバー２を備える。このツールバー２に、上下方向の複数の回転軸１２を前記フレーム２に沿って夫れ夫れスライド自在に備える。各回転軸１２の下端部にナイロン製の線材カッター１６を備えると共に、同回転軸１２の上部に乗用管理機からのＰＴＯ動力を受けて駆動される駆動プーリ１７，１８，１９を備える。また前記ツールバー２には、前記駆動プーリに巻き掛ける伝動ベルト１８ａ，１９ａのテンションプーリ１８ｃ，１９ｃを支持する。【選択図】図１
2006197870.tif 000002
【特許請求の範囲】
【請求項１】
走行車体に備えた左右方向のフレーム（２）に、上下方向の複数の回転軸（１２）を前記フレーム（２）に沿って夫れ夫れスライド自在に備え、各回転軸（１２）の下端部に弾性材から成る線材カッター（１６）を備えると共に、同回転軸（１２）の上部に前記走行車体からの動力を受けて駆動される駆動部位（１７，１８，１９）を備えたことを特徴とする除草装置。
【請求項２】
前記回転軸（１２）の上部に備えた駆動部位は、伝動ベルト（１８ａ，１９ａ）を巻き掛けるプーリ（１８ｂ，１９ｂ）であって、前記フレーム（２）には、同ベルト（１８ａ，１９ａ）を付勢するテンション機構（１８ｃ，１９ｃ）を備えたことを特徴とする請求項１に記載の除草装置。
【発明の詳細な説明】
【技術分野】
【０００１】
この発明は、畝上や畝溝に生える雑草等を刈る除草装置の構成に関する。
【背景技術】
【０００２】
従来、畝上や畝溝に生える雑草を刈る除草装置においては、特開平９−３７６０４号公報に示されるように、左右方向に配するツールバーにカルチ爪を副数本備え、これらカルチ爪の左右側方にロータリ耕耘部を備えて、前記カルチ爪で畝の表面を中耕すると共に、前記左右両側のロータリ耕耘部で溝部の中耕作業を行なうものが知られている（特許文献１）。
【特許文献１】特開平9-37604号公報
【発明の開示】
【発明が解決しようとする課題】
【０００３】
前記従来技術では、カルチ爪とロータリ耕耘部によって土の表面を浅く削ることで雑草類を除草する構成であったので、土壌面に凹凸が有ったり、作業高さを誤ると畝を崩したり、土壌面の上方で空を切って全く除草されず、作業性を損なうという課題が有った。またこれら雑草を所謂芝刈機のような回転式カッターで刈る場合は、簡単且つ安価な構成とし、畝の高さまたは畝の間隔に応じて刈部及び伝動構成を調整し易く構成することが望まれる。
【課題を解決するための手段】
【０００４】
前記問題点を解決するために、この発明は次のような技術的手段を講じた。
請求項１の発明は、走行車体に備えた左右方向のフレーム（２）に、上下方向の複数の回転軸（１２）を前記フレーム（２）に沿って夫れ夫れスライド自在に備え、各回転軸（１２）の下端部に弾性材から成る線材カッター（１６）を備えると共に、同回転軸（１２）の上部に前記走行車体からの動力を受けて駆動される駆動部位（１７，１８，１９）を備えたことを特徴とする除草装置とした。
（請求項１の作用）
以上のように構成した請求項１の除草装置では，まず畝上または畝溝の間隔に応じて前記回転軸（１２）をスライドさせ位置させる。そして同回転軸（１２）を回転させながら走行車体を走行させると、線材カッター（１６）で雑草が刈られる。また同カッター（１６）は、畝または作物等、ある程度の硬いものに接触すると、変形してこれらを回避して回転を続ける。
【０００５】
また請求項２の発明は、前記回転軸（１２）の上部に備えた駆動部位は、伝動ベルト（１８ａ，１９ａ）を巻き掛けるプーリ（１８ｂ，１９ｂ）であって、前記フレーム（２）には、同ベルト（１８ａ，１９ａ）を付勢するテンション機構（１８ｃ，１９ｃ）を備えたことを特徴とする請求項１に記載の除草装置とした。
（請求項２の作用）
以上のように構成した請求項２の除草装置では、フレーム（２）に備えたテンション機構（１８ｃ，１９ｃ）にて伝動ベルト（１８ａ，１９ａ）を張り、同ベルト（１８ａ，１９ａ）の回転によって各回転軸（１２）が回転する。
【発明の効果】
【０００６】
これにより、請求項１に係る発明では、畝上または畝溝の上方で線材カッター（１６）を回転させることで、雑草類を刈りつつ、また根づいた作物や押し固められた畝に接触した場合は、変形してこれを回避するので、これらを破損すること無く、除草作業に係る作業性を損なわない。
【０００７】
また請求項２の発明では、伝動ベルト（１８ａ，１９ａ）により各回転軸（１２）を駆動する構成とし、同ベルトのテンション機構（１８ｃ，１９ｃ）を前記回転軸（１２）を支持するフレーム（２）に備える構成としたので、例えば駆動軸やギヤを用いてこれら伝動機構を構成するものと比較して、構成を簡略化し、安価に構成することができる。
【発明を実施するための最良の形態】
【０００８】
以下、図面に基づいて、この発明の除草装置を乗用管理機の後部に備えた形態について説明する。
乗用管理機１の車体後部は、図１に示すように、昇降装置５を介して左右方向に配するツールバー２が昇降自在に連結されている。ツールバー２の中央部には伝動ボックス３が設けら、この伝動ボックス３には乗用管理機１のＰＴＯ動力が伝達される構成となっている。
【０００９】
また前記ツールバー２の中央部後方には、所定間隔を空けて中央除草機４を取り付け、また同ツールバー２の左右両側部には除草機取付ブラケット８，８を介して除草機６，７が左右方向に調節自在に取り付けられている。また前記除草機取付ブラケット８は、ツールバー２に当てる前側板８ａ及び後側板８ｂと、前後側板８ａ，８ｂを連結するボルト・ナット８ｃにより構成されている。
【００１０】
また除草装置は、前記中央除草機４と左右の除草機６，７、そして前記除草機取付ブラケット８と、この後側板８ｂから後方へ突設する水平状の支持フレーム１１と、支持フレーム１１の後側部に上下方向に軸架している回転軸１２と、回転軸１２の下端部に取り付けられている円形のカッター板１４と、カッター板１４に取り付けられているナイロン等の弾性材で構成されている線材カッター１６，１６…等を備える構成となっている。
【００１１】
そして前記伝動ボックス３上の駆動プーリ１７ａと、伝動ベルト１７ｂ及び従動プーリ１７ｃから成る中央ベルト伝動装置１７を介して前記中央除草機６の回転軸１２上部に動力を伝達している。また中央ベルト伝動装置１７の従動プーリ１７ｃから左右の伝動ベルト１８ａ，１９ａ、左右のプーリ１８ｂ，１９ｂ、左右のテンションプーリ１８ｃ，１９ｃから成る左右のベルト伝動装置１８，１９を経由して左右除草機６，７の回転軸１２，１２へ動力を伝達している。
【００１２】
以上のように構成した除草装置を備えた乗用管理機１では、例えば図２に示すように、各除草機４，６，７を夫れ夫れ畝溝部２９上方に位置させると共に、カッター板１４を畝２３の上面とほぼ同じ高さに設定し、各回転軸１２，１２…を回転させながら畝２３に沿って走行する。
【００１３】
すると、前記水平方向に回転する線材カッター１６，１６…により畝溝から畝上面に伸びる雑草２９が刈られる。
また前記左右除草機６，７は、除草機取付ブラケット８，８をツールバー２に沿って左右方向に広狭に調節することで、中央除草機４に対して間隔に調整することができる。その際には、各除草機への伝動効率を損なうこと無い様、左右の伝動ベルト１８ａ，１９ｂの張込具合を前記左右のテンションプーリ１８ｃ，１９ｃの前後位置を調整することで適度な張り具合とすることができる。
【００１４】
また前記各除草機間の伝動構成をベルト式伝動機構としたので、例えばツールバーに沿って長い伝動軸を構成し、これに噛合うギヤなどを備える場合と比較して、安価に構成することができる。
【００１５】
次に、前記回転軸１２に備える各形態の線材カッター１６について説明する。
図３に示す線材カッター１６は、図２のカッター１６にカバー２６を備え、刈幅を一定幅Ｗに規制するものである。
【００１６】
前記各除草機の回転軸１２の下端部には所定の径の円板状のカッター板１４を取り付け、このカッター板１４に線材カッター１６，１６…を取り付けている。詳しくは、カッター板１４を、上面側の大径円板１４ａと下面側の小径円板１４ｂとで構成し、下面側の小径円板１４ｂの外周面に沿うように線材カッター１６の基端部を固着し、次いで、小径円板１４ｂの外周面から線材カッター１６を接線方向に沿わせて外周側に延長し、その先端部側を回転方向下手側に湾曲するように取り付け、平面視で小径円板１４ｂの線材カッター１６の基端取付部を上側の大径円板１４ａで覆うように構成し、線材カッター１６，１６…の刈り面周囲と上方とをカバー２６により被覆する構成としている。
【００１７】
尚、図中符号Ｆは、乗用芝刈機１の進行方向を示す。
以上のように構成した除草機では、回転軸１２を所定の速度で回転し、線材カッター１６を回転すると、カバー２６の左右幅Ｗに亘って雑草類を刈り取ることができるので、活着の弱い作物が植えられている畝でも、これを損傷すること無く除草作業が行なえる。またこの雑草類がカッター板１４に接近して巻き付こうとすると線材カッター１６の基部側で切断し回転軸１２への草類の巻き付きを防止するので、円滑に除草作業を継続することができる。
【００１８】
更に前記線材カッター１６は、根づいた作物や押し固められた畝に接触しても、変形して回避するので、これらを破損すること無いので作業性を損なわない。
また図４に示す線材カッター１６は、ルーブ状のカッターであり、カッター板１４上のリール部２１に紐状部材を巻き収納し、この紐先端部を引き出した後折り返して固定する構成となっている。詳しくは、前記カッター板１４の中途部に座金付の取付ボルト２２を設け、この取付ボルト２２の基部に前記紐状の線材カッター１６ａの中途部と先端部を挟んで固定する。
【００１９】
以上のように構成した除草機では、線材カッター１６ａの先端部をループ状とすることにより、線材カッター１６の突起物への草類の巻き付きを防止して円滑に刈取作業を行なえ、またカッター自体の耐久性の向上することができる。また同カッター１６を破損した時には、前記リール部２１から紐状部材を引き出して前記同様に固定するだけであるので、操作も簡単である。
【００２０】
また図５に示す線材カッターは、特に畝溝に適したカッターであり、前記回転軸１２周りに線材カッター１６を複数段に備えたものである。詳しくは、回転軸１２の下端部には、所定間隔毎に下位になる程、小径の円形のカッター板１４ａ，１４ｂ，１４ｃを取り付け、このカッター板１４ａ，１４ｂ，１４ｃには、同じく下側ほど順次外周端部が小径となるように線材カッター１６，１６…を取り付ける構成となっている。
【００２１】
図例では、最上段のカッター板１４ａを畝２３の表面高さに位置させ、畝上の雑草を刈る構成とし、その下の複数段のカッター板１４ｂ，１４ｃで畝溝または畝２３の斜面部に生えた雑草類を刈る構成となっている。
【００２２】
以上のような除草機では、前記回転軸１２を回転させながら畝２３に沿って前進すると、作物２４の下部近傍の畝２３の斜面部や溝部にある雑草類２９を余すこと無く刈ることができ、除草効率を向上することができる。
【００２３】
また図６と図７に示す線材カッター１６は、図３のカバー２６にスリット２８を備え、刈作用を確実化したものである。
前記回転軸１２の下端部にはカッター板１４を取り付け、このカッター板１４の外周部に複数の線材カッター１６，１６…を取り付け、これら各カッター１６の回転周囲をカバー２６により被覆する構成としている。また前記カバー２６の前側部２６ａを開放し、平面視において前側に回転した線材カッター１６の先端部が前側部２６ａの前端より前方に突出するように構成する。またカバー前側部２６ａには、雑草類２９を進入させて犁く前後方向のスリット２８，２８…を備えると共に、同カバー２６の後側部２６ｂの後側端部にはブラケット２５を介して刈高さ規制用の支持輪２７を取り付けている。
【００２４】
以上のように構成した除草機では、乗用管理機を畝に沿って進行すると、前側部２６ａに近づいた雑草類２９がスリット２８，２８…により犁かれた状態で線材カッター１６，１６…により刈られる。
【００２５】
これにより、雑草と同じ程度に活着した作物が条状に植えられている時には、確実にカッターの回転から回避することができ、作物を損傷することが無くなる。またカバー２６の前側部に前後方向に沿ったスリット２８，２８…を設けたので、雑草２９の押し倒しを極力防止しながら、これを確実に切断することができる。
【００２６】
尚、この発明の各除草機は、車両の前部に備える構成としても良いし、各回転軸１２に各形態を任意に選んで取り付ける構成としても良い。
【図面の簡単な説明】
【００２７】
【図１】走行機体の後部と除草装置の平面図。
【図２】除草機の刈取状態を示す正面図。
【図３】（Ａ）除草機の切断正面図。           （Ｂ）除草機の底面図。
【図４】除草機の斜視図。
【図５】除草機の刈取状態を示す背面図。
【図６】除草機の切断側面図。
【図７】除草機の底面図。
【符号の説明】
【００２８】
４    中央除草機
６    左除草機
７    右除草機
１１    フレーム
１２    回転軸
１６    線材カッター
１８    左伝動装置
１９    右伝動装置
２３    畝
２４    作物
【図１】
2006197870.tif 000003
【図２】
2006197870.tif 000004
【図３】
2006197870.tif 000005
【図４】
2006197870.tif 000006
【図５】
2006197870.tif 000007
【図６】
2006197870.tif 000008
【図７】
2006197870.tif 000009